(57)【要約】【課題】  温度調整部材付き靴を提供する。【解決手段】靴本体部と靴底部と中敷き部からなる温度調整部材付き靴であって、前記靴底部の上面側に断面が半円状又は四辺形状の細長い溝を設け、その上に空気が包含された中敷き部を設けて冷却媒体又は加熱媒体を着脱自在に挿入可能な冷却用又は保温用穴を構成し、該冷却用又は保温用穴に冷却媒体又は加熱媒体を着脱自在に挿入したことを特徴とする。【選択図】    図１
2006204411.tif 000002
【特許請求の範囲】
【請求項１】
靴本体部と靴底部と中敷き部からなる温度調整部材付き靴であって、前記靴底部の上面側に断面が半円状又は四辺形状の細長い溝を設け、その上に空気が包含された中敷き部を設けて冷却媒体又は加熱媒体を着脱自在に挿入可能な冷却用又は保温用穴を構成し、該冷却用又は保温用穴に冷却媒体又は加熱媒体を着脱自在に挿入したことを特徴とする温度調整部材付き靴。
【請求項２】
前記冷却媒体又は加熱媒体は、プラスチック、ポリエチレン、厚紙等からなる断面が半円状又は四辺形状の細長い容器に液体状、ゲル状、粉状等の冷媒を詰めて蓋をして凍らせたもの又は前記容器に粉状もしくは棒状の熱媒を詰めて蓋をしたものであることを特徴とする請求項１に記載の温度調整部材付き靴。
【発明の詳細な説明】
【技術分野】
【０００１】
本発明は、靴本体部と靴底部と中敷き部からなる温度調整部材付き靴に関し、特に前記靴底部の上面側に断面が半円状又は四辺形状の細長い溝を設け、その上に空気が包含された中敷き部を設けて冷却媒体又は加熱媒体を着脱自在に挿入可能な冷却用又は保温用穴を構成し、該冷却用又は保温用穴に冷却媒体又は加熱媒体を着脱自在に挿入したことを特徴とする温度調整部材付き靴に関する。
さらに、前記冷却媒体又は加熱媒体は、プラスチック、ポリエチレン、厚紙等からなる断面が半円状又は四辺形状の細長い容器に液体状、ゲル状、粉状等の冷媒を詰めて蓋をして凍らせたもの又は前記容器に粉状もしくは棒状の熱媒を詰めて蓋をしたものである。
【背景技術】
【０００２】
従来、冷却機構付き靴に関する技術として、多層構造を有する靴用冷却パッドであって、該パッドの少なくとも一層に冷媒を循環させる経路を設け、該経路に冷媒を供給する導入口及び該経路を循環した冷媒を排出する排出口を設けたものが開示されている（例えば、特許文献１参照）。
【０００３】
この靴用冷却パッドは、製鉄所や熱作業所等の高温下で作業する場合において、作業者が装着し、靴底の温度上昇を緩和させるものである。
【０００４】
前述の製鉄所や熱作業所等の高温下で作業する場合に使用する靴を対象とするものであり、日常生活に関するものではない。そして、例えば夏の日常生活において、道路が太陽により加熱されて４０℃以上になった場合に、靴底の温度を低下させて暑さを緩和させるような靴は、現時点では存在していない。
また、冬の日常生活において、道路、室内等の温度が１０℃以下になった場合に、靴底の温度を上昇させて寒さを緩和させるような靴は、現時点では存在していない。
【０００５】
【特許文献１】特開２００２―２０９０２号公報
【発明の開示】
【発明が解決しようとする課題】
【０００６】
本発明の目的は、例えば、夏の日常生活において、道路が太陽により加熱されて３０℃位〜４０℃以上になったような場合に、靴底の温度を低下させて暑さを緩和させることが可能な技術を提供することにある。
【０００７】
本発明の他の目的は、冬の日常生活において、道路、室内等の温度が１０℃以下になったような場合に、靴底の温度を上昇させて寒さを緩和させることが可能な技術を提供することにある。
【０００８】
本発明の他の目的は、夏期の日常生活において、靴の内部で発生する足のむれ等による悪臭を低減することが可能な技術を提供することにある。
本発明の他の目的は、地球温暖化問題解決の一つの手段とすることが可能な電力の消費を低減する技術を提供することにある。
本発明の前記ならびにその他の目的と新規な特徴は、本明細書の記述及び添付図面によって明らかになるであろう。
【課題を解決するための手段】
【０００９】
本願において開示される発明のうち、代表的なものの概要を簡単に説明すれば、以下のとおりである。
【００１０】
第１の発明は、靴本体部と靴底部と中敷き部からなる温度調整部材付き靴であって、前記靴底部の上面側に断面が半円状又は四辺形状の細長い溝を設け、その上に空気が包含された中敷き部を設けて冷却媒体又は加熱媒体を着脱自在に挿入可能な冷却用又は保温用穴を構成し、該冷却用又は保温用穴に冷却媒体又は加熱媒体を着脱自在に挿入したことを特徴とする。
【００１１】
第２の発明は、第１の発明の冷却媒体付き靴において、前記冷却媒体又は加熱媒体は、プラスチック、ポリエチレン、厚紙等からなる断面が半円状又は四辺形状の細長い容器に液体状、ゲル状、粉状等の冷媒を詰めて蓋をして凍らせたもの又は前記容器に粉状もしくは棒状の熱媒を詰めて蓋をしたものであることを特徴とする。
【００１２】
前述した手段によれば、例えば、夏の日常生活において、道路が太陽により加熱されて３０℃位〜４０℃以上になったような場合に、靴底の温度を低下させて暑さを緩和させることができる。
また、例えば、冬の日常生活において、道路や部屋内で温度が１０℃以下になったような場合に、靴底の温度を加熱して上昇させ寒さを緩和させることができる。
【００１３】
また、地球温暖化の問題解決の一つとして、例えば、夏及び冬の日常生活において、室内や車内のクーラーの温度をできるだけ低い一定温度に設定するために、又は室内や車内のクーラーの使用時間を短縮するために、暑く感じる場所又は寒く感じる場所において冷却媒体又は加熱媒体付き靴を履いて、靴底の温度を低下又は加熱して身体の暑さ又は寒さを緩和させることができる。これにより、電力の消費を低減することができ、地球温暖化問題解決の一つの手段とすることも可能である。
また、夏期の日常生活において、冷却媒体付き靴を履いて、靴底の温度を低下させることにより、靴の内部に発生する足のむれ等による悪臭を低減することができる。
【００１４】
以下、本願発明について、図面を参照して実施形態とともに詳細に説明する。
なお、実施形態を説明するための全図において、同一機能を有するものは同一符号を付け、その繰り返しの説明は省略する。
【００１５】
［実施形態１］
図１は、本願発明の実施形態１の冷却媒体付き靴の全体外観の構成図、図２は、図１の後部から見た平面図、図３は、冷却媒体付き靴の靴底部と中敷き部を中敷き部の上面側から見た斜視図、図４は、図３のＡ−Ａ線で切った断面図、図５は、靴底部の構成を示す図であり、（ａ）図は上から見た平面図、（ｂ）図は後部から見た側面図である。
【００１６】
図６は、冷却媒体の構成を示す斜視図、図７は、図２の冷却媒体を抜き取った後の後部から見た平面図、図８は、冷却媒体を複数個取り付けた構成を示す図である。
【００１７】
図１〜図７において、１は布、ビニール、革、ゴム等からなる冷却媒体付き靴の本体、２は革、ゴム、合成樹脂等からなる靴底部、３は空気が包含されたスポンジ状の中敷き部、４は冷却媒体、４Ａはプラスチック、ポリエチレン等からなる断面が半円状又は四辺形状の細長い容器、４Ｂは液体状もしくはゲル状の冷媒、４Ｃは前記容器４Ａの着脱自在の蓋部材、５は前記靴底部２の上面側に断面が半円状又は四辺形状の細長い溝５Ａを設け、その上に空気が包含された中敷き部３を設けて冷却媒体４を着脱自在に挿入可能な冷却用穴である。
【００１８】
本願発明は、図１〜図７に示すように、靴本体部１と靴底部２と中敷き部３からなる冷却媒体付き靴であって、図５に示すように、前記靴底部２の上面側に断面が半円状又は四辺形状の細長い溝５Ａを設け、図３及び図４に示すように、その上に空気が包含された中敷き部３を設けて、図７に示すように、冷却媒体４を着脱自在に挿入可能な冷却用穴５を構成し、該冷却媒体に冷却媒体を着脱自在に挿入したものである。
さらに、前記半円状又は四辺形状の細長い溝５Ａの下部に、靴底部２の下部から冷気熱が逃げないように、また、道路等からの熱が伝わらないように断熱材からなる断熱層を挿入することが好ましい。
【００１９】
前記冷却媒体４は、図６に示すように、プラスチック、ポリエチレン等からなる断面が半円状又は四辺形状の細長い容器４Ａに液体状もしくはゲル状の冷媒４Ｂを詰めて蓋をして凍らせたものである。
前記凍らせる手段としては、例えば、家庭用の冷蔵庫の冷凍室等を用いる。
【００２０】
前記本願発明の冷却媒体付き靴を使用する場合には、まず、例えば、家庭用の冷蔵庫の冷凍室等から前記容器４Ａに液体状もしくはゲル状の冷媒４Ｂを詰めて蓋をして凍らせた冷却媒体４を取り出して、前記冷却用穴５に挿入して使用する。
【００２１】
前述した本実施の形態の発明によれば、例えば、夏の日常生活において、道路が太陽により加熱されて３０℃位〜４０℃以上になった場合に、靴底の温度を低下させて暑さを緩和させることが可能である。
【００２２】
また、例えば、夏の日常生活において、室内や車内のクーラーの温度をできるだけ低く設定するため、又は室内や車内のクーラーの使用時間を短縮するために、暑く感じる場所において冷却媒体付き靴を履いて、靴底の温度を低下させて身体の暑さを緩和させることができる。
また、夏期の日常生活において、冷却媒体付き靴を履いて、靴底の温度を低下させることにより、靴の内部で発生する足のむれ等による悪臭を低減することができる。
【００２３】
また、さらに暑く感じる場所においては、図８に示すように、前記冷却媒体４を複数個取り付けて、靴底の温度を低下させて身体の暑さを緩和させることもできる。
【００２４】
［実施形態２］
本願発明の実施形態２は、前記実施形態１の発明の冷却媒体付き靴において、前記冷却媒体の代わりに加熱媒体を用いたものである．即ち、プラスチック、ポリエチレン、厚紙等からなる断面が半円状又は四辺形状の細長い容器に粉状もしくは棒状の熱媒を詰めて蓋をしたものである。
また、さらに寒く感じる場所においては、図８に示すように、前記加熱媒体を複数個取り付けて、靴底の温度を更に上昇させて身体の寒さを緩和する。
【００２５】
前述した実施形態２の手段によれば、例えば、冬の日常生活において、道路や部屋内で温度が１０℃以下になった場合に、靴底の温度を加熱して上昇させ寒さを緩和させることができる。
また、地球温暖化の問題解決の一つとして、例えば、冬の日常生活において、室内や車内のクーラーの温度をできるだけ低い一定温度に設定するため、又は室内や車内のクーラーの使用時間を短縮するために、寒く感じる場所において加熱媒体付き靴を履いて、靴底の温度を加熱して身体の寒さを緩和させることができる。これにより、電力の消費を低減することができるので、地球温暖化問題解決の一つの手段とすることが可能である。
また、さらに寒く感じる場所においては、図８に示すように、前記加熱媒体を複数個取り付けて、靴底の温度を更に上昇させて身体の寒さを緩和させることもできる。
【００２６】
以上、本願発明を、前記実施の形態に基づき具体的に説明したが、本願発明は、前記実施の形態に限定されるものではなく、その要旨を逸脱しない範囲において種々変更可能であることは勿論である。例えば、長靴、革靴、スニーカ、サンダル等のすべての履物の底部に本願発明が適応できることは言うまでもない。
【発明の効果】
【００２７】
本願において開示される発明のうち代表的なものによって得られる効果を簡単に説明すれば、以下のとおりである。
（１）夏又は冬の日常生活において、靴底の温度を低下又は上昇させることができるので、暑さ又は寒さを緩和させることができる。
（２）夏又は冬の日常生活において、室内や車内のクーラーの温度をできるだけ低い一定の温度に設定でき、又は室内や車内のクーラーの使用時間を短縮することができるので、電力の消費を低減することができる。
（３）夏期の日常生活において、冷却媒体付き靴を履いて、靴底の温度を低下させることにより、靴の内部で発生する足のむれ等による悪臭を低減することができる。
（４）さらに暑く又は寒く感じる場所においては、前記冷却媒体又は加熱媒体を複数個取り付けて、靴底の温度を低下又は上昇させて身体の暑さ寒さを緩和させることができる。
【図面の簡単な説明】
【００２８】
【図１】本願発明の実施の形態の冷却媒体付き靴の全体外観の構成図
【図２】図１の後部から見た平面図
【図３】冷却媒体付き靴の靴底部と中敷き部を中敷き部の上面側から見た斜視図
【図４】図３のＡ−Ａ線で切った断面図
【図５】靴底部の構成を示す図、（ａ）図は上から見た平面図、（ｂ）図は後部から見た側面図
【図６】冷却媒体の構成を示す斜視図
【図７】図２の冷却媒体を抜き取った後の後部から見た平面図
【図８】冷却媒体を複数個取り付けた構成を示す図
【符号の説明】
【００２９】
１・・・冷却媒体付き靴の本体
２・・・靴底部
３・・・中敷き部
４・・・冷却媒体
４Ａ・・・細長い容器
４Ｂ・・・冷媒
４Ｃ・・・蓋部材
５・・・冷却用穴
５Ａ・・・細長い溝
【図１】
2006204411.tif 000003
【図２】
2006204411.tif 000004
【図３】
2006204411.tif 000005
【図４】
2006204411.tif 000006
【図５】
2006204411.tif 000007
【図６】
2006204411.tif 000008
【図７】
2006204411.tif 000009
【図８】
2006204411.tif 000010